(57)【特許請求の範囲】
【請求項１】
ラッチ軸（２Ａ）の先端にラッチヘッド（２Ｂ）を有しかつ錠ケース（３）にラッチ出退方向摺動自在に支持されたラッチ部材（２）と、このラッチ部材（２）をラッチ突出方向に付勢する付勢部材（４）と、操作ハンドル（５）の揺動動作によって中立位置（Ａ）から前後移動するトリガー部材（６）と、このトリガー部材（６）の前後移動により揺動して前記ラッチ部材（２）を後退移動させる揺動体（７）とを有しており、
前記トリガー部材（６）と揺動体（７）との間には、トリガー部材（６）の前方移動で揺動体（７）を後方揺動させる押し連動手段（８）と、トリガー部材（６）の後方移動で揺動体（７）を後方揺動させる引き連動手段（９）とが設けられており、
前記ラッチ部材（２）と揺動体（７）との間には、揺動体（７）の揺動により直線後方移動してラッチ部材（２）を後退移動させる連動体（１０）が設けられており、
前記連動体（１０）は、ラッチ軸（２Ａ）の後部に相対移動可能に遊嵌されかつ後端の受け部（２ａ）を後方押動可能な連動引部（１０ａ）と、ラッチ軸（２Ａ）を挟んでトリガー部材（６）と反対側で揺動体（７）と連結されかつラッチ軸（２Ａ）と平行に配置された直線部（１０ｂ）とが略Ｌ字形状に形成されていることを特徴とするプッシュプル錠。
【請求項２】
前記揺動体（７）はラッチ軸（２Ａ）の側方に配置され、トリガー部材（６）側の端部に前後揺動自在に支持する揺動軸（１１）が設けられ、トリガー部材（６）と反対側の端部に連結ピン（２５）を介して連動体（１０）の直線部（１０ｂ）が連結されており、
前記連動体（１０）の直線部（１０ｂ）と連結ピン（２５）とは錠ケース（３）に対して直線後方移動自在に案内されていることを特徴とする請求項１に記載のプッシュプル錠。
【請求項３】
前記揺動体（７）は揺動軸（１１）を挟んで第１係合部（７ａ）と第２係合部（７ｂ）とを有し、前記トリガー部材（６）は第１係合部（７ａ）と係合して押動する押動部（６ａ）と第２係合部（７ｂ）と係合して引動する引動部（６ｂ）とを側面から揺動体（７）側に突出しかつ揺動軸（１１）を挟んで有し、
前記第１係合部（７ａ）と押動部（６ａ）とで前記押し連動手段（８）が構成され、前記第２係合部（７ｂ）と引動部（６ｂ）とで前記引き連動手段（９）が構成されていることを特徴とする請求項１又は２に記載のプッシュプル錠。
【請求項４】
前記トリガー部材（６）は帯板をコ字形状に屈曲して形成され、その内部に、錠ケース（３）に対してトリガー部材（６）を前方移動したときに後方付勢しかつ後方移動したときに前方付勢する付勢手段（１２）が設けられていることを特徴とする請求項１〜３のいずれか１項に記載のプッシュプル錠。
【請求項５】
前記錠ケース（３）には、中立位置（Ａ）のトリガー部材（６）に対して進退移動自在であって、進出することによりトリガー部材（６）と係合してその前後移動を規制するロック部材（１４）と、前後直線移動により前記ロック部材（１４）を進退移動させる作動部材（４１）とが設けられていることを特徴とする請求項１〜４のいずれか１項に記載のプッシュプル錠。
【発明の詳細な説明】
【技術分野】
【０００１】
本発明は、プッシュ操作やプル操作で解錠されるプッシュプル錠に関する。
【背景技術】
【０００２】
ドアに設けられるプッシュプル錠の従来技術においては、特許文献１に開示されているように、固定部に対して正面視コ字状の可動部材の両端側部を、進退自在に設けると共に押し込む方向にバネで付勢し、固定部の端面と可動部材のコ字状部により形成される角孔内に角芯を密に貫通させると共に前記バネの付勢力に抗して可動部材を退出側移動させる態様で前記角芯を平面視で正逆回動させ得るようにし、前記可動部材の退出側移動と連動する係止部材を設け、係止部材の前記連動により、ラッチはドア内へ完全収納されない係止部材との係止状態から完全収納される非係止状態になるようにしてある（特許請求の範囲）。
【０００３】
また、特許文献２に開示されている技術においては、ラッチは進退方向に摺動自在でありかつ先端が縦軸廻りに首振り回動自在になっており、操作ハンドルをプッシュ操作又はプル操作することにより、ラッチの首振りを規制しているロックピースを後退させて、ラッチの首振り回動を可能にし、ドア枠のストライクと当接するときにラッチが回動しながら後退摺動できることにより、ドアを開放できるように構成されている。
【先行技術文献】
【特許文献】
【０００４】
【特許文献１】特開２００７−２９７７８８号公報
【特許文献２】特開平１１−５０７０７号公報
【発明の概要】
【発明が解決しようとする課題】
【０００５】
前記特許文献１、２の技術は、操作ハンドルをプッシュ操作又はプル操作することにより解錠可能にするが、ラッチの進退摺動又は回動を規制していた係止部材を後退させるだけで、ラッチ自体を後退させるものではなく、そのためドアを開放する際には、ドア枠のストライクによってラッチを後退及び／又は回動しなければならなく、ラッチヘッドがストライクに摺接されるので、ドアの開放抵抗があり、騒音を発生し、耐久性にも問題が生じている。
【０００６】
本発明は、このような従来技術の問題点を解決できるようにしたプッシュプル錠を提供
することを目的とする。
本発明は、操作ハンドルのプッシュ操作でもプル操作でも、突出しているラッチ部材自体を後退移動させて解錠ができるようにしたプッシュプル錠を提供することを目的とする。
【課題を解決するための手段】
【０００７】
本発明における課題解決のための具体的手段は、次の通りである。
第１に、ラッチ軸２Ａの先端にラッチヘッド２Ｂを有しかつ錠ケース３にラッチ出退方向摺動自在に支持されたラッチ部材２と、このラッチ部材２をラッチ突出方向に付勢する付勢部材４と、操作ハンドル５の揺動動作によって中立位置Ａから前後移動するトリガー部材６と、このトリガー部材６の前後移動により揺動して前記ラッチ部材２を後退移動させる揺動体７とを有しており、
前記トリガー部材６と揺動体７との間には、トリガー部材６の前方移動で揺動体７を後方揺動させる押し連動手段８と、トリガー部材６の後方移動で揺動体７を後方揺動させる引き連動手段９とが設けられており、
前記ラッチ部材２と揺動体７との間には、揺動体７の揺動により直線後方移動してラッチ部材２を後退移動させる連動体１０が設けられており、
前記連動体１０は、ラッチ軸２Ａの後部に相対移動可能に遊嵌されかつ後端の受け部２ａを後方押動可能な連動引部１０ａと、ラッチ軸２Ａを挟んでトリガー部材６と反対側で揺動体７と連結されかつラッチ軸２Ａと平行に配置された直線部１０ｂとが略Ｌ字形状に形成されていることを特徴とする。
【０００８】
第２に、前記揺動体７はラッチ軸２Ａの側方に配置され、トリガー部材６側の端部に前後揺動自在に支持する揺動軸１１が設けられ、トリガー部材６と反対側の端部に連結ピン２５を介して連動体１０の直線部１０ｂが連結されており、
前記連動体１０の直線部１０ｂと連結ピン２５とは錠ケース３に対して直線後方移動自在に案内されていることを特徴とする。
【０００９】
第３に、前記揺動体７は揺動軸１１を挟んで第１係合部７ａと第２係合部７ｂとを有し、前記トリガー部材６は第１係合部７ａと係合して押動する押動部６ａと第２係合部７ｂと係合して引動する引動部６ｂとを側面から揺動体７側に突出しかつ揺動軸１１を挟んで有し、
前記第１係合部７ａと押動部６ａとで前記押し連動手段８が構成され、前記第２係合部７ｂと引動部６ｂとで前記引き連動手段９が構成されていることを特徴とする。
【００１０】
第４に、前記トリガー部材６は帯板をコ字形状に屈曲して形成され、その内部に、錠ケース３に対してトリガー部材６を前方移動したときに後方付勢しかつ後方移動したときに前方付勢する付勢手段１２が設けられていることを特徴とする。
第５に、前記錠ケース３には、中立位置Ａのトリガー部材６に対して進退移動自在であって、進出することによりトリガー部材６と係合してその前後移動を規制するロック部材１４と、前後直線移動により前記ロック部材１４を進退移動させる作動部材４１とが設けられていることを特徴とする。
【発明の効果】
【００１１】
本発明によれば、操作ハンドルのプッシュ操作でもプル操作でも、突出しているラッチ部材自体を後退移動させて解錠ができ、ラッチ部材の抵抗なくドアを開放することができる。
即ち、請求項１に係る発明は、操作ハンドル５のプッシュ・プル操作でトリガー部材６を前後どちらに移動させても、押し連動手段８と引き連動手段９のどちらか一方を介して揺動体７が後退移動して、ラッチ部材２を後退移動させることができる。
【００１２】
請求項２に係る発明は、揺動体７の揺動により連動体１０を直線後方移動させるので、ラッチ部材２の後退をスムーズにできる。
請求項３に係る発明は、揺動体７に揺動軸１１を挟んでトリガー部材６の押動部６ａと引動部６ｂとを係合させているので、揺動体７を後退移動させる押し連動手段８と引き連動手段９とを簡単に構成することができる。
【００１３】
請求項４に係る発明は、付勢手段１２によってトリガー部材６の中立位置復帰を補助できる。
請求項５に係る発明は、トリガー部材６の前後移動規制をロック部材１４で直接的に行うことができる。
【図面の簡単な説明】
【００１４】
【図１】本発明の実施形態を示す断面正面図である。
【図２】同断面背面図である。
【図３】揺動体とトリガーとの関連性を示す断面正面図である。
【図４】錠ケース内部の斜視図である。
【図５】ラッチの断面平面図である。
【図６】連動体の断面平面図である。
【図７】トリガーの断面平面図である。
【図８】ロック機構の断面平面図である。
【図９】プッシュプル錠の全体斜視図である。
【図１０】プッシュプル錠の全体正面図である。
【発明を実施するための形態】
【００１５】
以下、本発明の実施の形態を図面に基づいて説明する。
図1〜１０において、プッシュプル錠１はドア２１の戸先側に埋設されていて、ラッチ部材２がドア枠２２に設けたストライク２３に係合可能になっている。
プッシュプル錠１は錠ケース３内に、ラッチ出退方向摺動自在に支持されたラッチ部材２と、このラッチ部材２を後退移動させる連動体１０と、この連動体１０を揺動により後退移動させる揺動体７と、この揺動体７を前後どちらに移動しても後方揺動させるトリガー部材６とを有し、ドア２１の内外面には前記トリガー部材６を前後移動させる操作ハンドル５Ｆ、５Ｒが設けられている。
【００１６】
前記錠ケース３は略箱形状のケース本体３Ａと、このケース本体３Ａの開口を閉鎖するケース蓋３Ｂとを有しており、ケース本体３Ａの前面側（戸先側）にケース本体３Ａと共にドア２１の戸先にネジ止めされるケースフロント２４が配置されており、ケース本体３Ａの前面壁及びケースフロント２４にラッチヘッド２Ｂが突出するラッチ開口１６が形成されている。
【００１７】
図１、５において、前記ラッチ部材２はラッチ軸２Ａの先端にラッチヘッド２Ｂを固定しており、ラッチ軸２Ａは錠ケース３に設けたガイド部３ａに軸心方向摺動自在に支持されており、このガイド部３ａとラッチヘッド２Ｂとの間に設けた付勢部材４（コイルスプリング）によってラッチ突出方向に付勢されている。
ラッチ軸２Ａの後端には大径の受け部２ａが形成され、この受け部２ａとガイド部３ａとの間でラッチ軸２Ａの後部に連動体１０の連動引部１０ａが相対移動可能に遊嵌されており、連動引部１０ａはワッシャを介して受け部２ａの前面と当接しかつ後方押動可能になっている。
【００１８】
図１、２、６において、連動体１０は連動引部１０ａとこれに直角な直線部１０ｂとを有して正面視略Ｌ字形状であり、直線部１０ｂはラッチ軸２Ａの上方でそれと平行に配置されている。直線部１０ｂには揺動体７の先端と連結される連結ピン２５と、ラッチ軸２Ａと平行な長溝２６とが形成され、連結ピン２５は錠ケース３に形成したガイド溝３ｂと係合し、長溝２６は錠ケース３に設けたガイドピン２７と係合している。
【００１９】
前記連動体１０は、連結ピン２５とガイド溝３ｂ及び長溝２６とガイドピン２７の案内によって直線移動可能であり、ラッチ軸２Ａと平行に直線後方移動することにより、連動引部１０ａがラッチ軸２Ａの受け部２ａと当接し、ラッチ部材２を直線的にかつスムーズに後退移動させる。
揺動体７は錠ケース３内の前部に略縦方向に長く配置され、先端の上端部には連結ピン２５と係合する嵌合孔２８が形成され、下部には揺動軸１１が設けられていて、この揺動軸１１が錠ケース３に対して前後揺動自在に支持されている。前記嵌合孔２８は連結ピン２５より大径のバカ孔であるが、上下に長い長孔又は長溝であってもよく、また、揺動軸
１１は揺動体７と一体成形されていても別個に形成されていてもよい。
【００２０】
また、前記揺動体７には、トリガー部材６と係合する第１係合部７ａと第２係合部７ｂとが揺動軸１１を挟んで上下に形成されている。
図１〜４、７、９において、トリガー部材６は帯板をコ字形状に屈曲して形成されており、中途部に中板３１が設けられ、後部にトリガー軸１３が設けられ、上下の板部分の左右側縁にはそれぞれ前後一対のガイド凸部６ｄが左右外方へ突設されている。このガイド凸部６ｄは錠ケース３に形成された前後に長い溝３ｄに係合しており、トリガー部材６の前後直線移動を案内している。
【００２１】
前記トリガー部材６は、コ字形状奥部（前側）が中板３１の前後で揺動軸１１及びガイド中板部３ｃを上下に跨いだ状態に位置しており、トリガー部材６のコ字形状奥部には、揺動軸１１より下側で前方移動により揺動体７の第１係合部７ａと係合して押動する押動部６ａが形成され、揺動軸１１より上側で後方移動により第２係合部７ｂと係合して引動する引動部６ｂが形成されている。前記押動部６ａ及び引動部６ｂはトリガー部材６の側縁から揺動体７側に突出して形成されている。
【００２２】
前記第１係合部７ａと押動部６ａとでトリガー部材６の前方移動で揺動体７を後方揺動させる押し連動手段８が構成され、前記第２係合部７ｂと引動部６ｂとでトリガー部材６の後方移動で揺動体７を後方揺動させる引き連動手段９が構成されている。
前記押し連動手段８及び引き連動手段９は、トリガー部材６を前後方向どちらに移動しても、揺動軸１１を中心にして揺動体７の上部を後方揺動させ、連動体１０及びラッチ部材２を直線後方移動させる。
【００２３】
前記揺動軸１１の中心から連結ピン２５までの距離は、揺動軸１１の中心から押動部６ａ及び引動部６ｂまでの距離の３〜６倍、好ましくは４〜５倍に設定されており、トリガー部材６の短い移動でラッチ部材２を大きく後退できるようになっている。
前記トリガー部材６の奥部と中板３１との間には、錠ケース３に対して、トリガー部材６を前後移動した位置から中立位置Ａ（図１、２に示す位置）に復帰させる付勢手段１２が設けられている。
【００２４】
この付勢手段１２はスプリング３２とこのスプリング３２の両端を受ける前後受け具３３Ｆ、３３Ｒとを有し、前後受け具３３Ｆ、３３Ｒはスプリング３２の端部に嵌合する筒状受け部とこれより小径の軸部とを有し、前受け具３３Ｆの軸部はトリガー部材６の奥部に挿通されていてケース本体３Ａの前壁に当接しており、後受け具３３Ｒの軸部は中板３１に挿通されていてガイド中板部３ｃに当接されている。
【００２５】
前記付勢手段１２は、押し連動手段８を介して揺動体７を後方揺動させるためにトリガー部材６を前方移動すると、前受け具３３Ｆの軸部３３ｂがケース本体３Ａの前壁に当接して不動となり、後受け具３３Ｒが前方移動してスプリング３２を圧縮し、トリガー部材６に後方付勢力を与えて中立位置Ａへの復帰を可能にする。
また、付勢手段１２は、引き連動手段９を介して揺動体７を後方揺動させるためにトリガー部材６を後方移動すると、後受け具３３Ｒの軸部３３ｂがガイド中板部３ｃに当接さして不動となり、前受け具３３Ｆが後方移動してスプリング３２を圧縮し、トリガー部材６に前方付勢力を与えて中立位置Ａへの復帰を可能にする。
【００２６】
なお、ラッチ部材２が付勢部材４によってラッチ突出方向に常に付勢されているので、連動体１０を介して揺動体７は前方向に常に付勢されており、前記付勢手段１２を設けなくともトリガー部材６は中立位置Ａに復帰できるが、操作ハンドル５の回動抵抗があるので、付勢手段１２を設けて、トリガー部材６と操作ハンドル５とを共に中立状態に確実に復帰できるようにした方が好ましい。
【００２７】
前記トリガー部材６のトリガー軸１３には、ドア２１の内外面に取り付けられた操作ハンドル５の二股係合部５ａが係脱自在に係合されている。
図１、５、７、９、１０において、ドア２１の内外面にはそれぞれベースカバー３５Ｆ、３５Ｒが対向して配置され、一方（ドア内面側）のベースカバー３５Ｆには錠ケース３内まで達する長い２本の脚部３５ａが形成され、他方（ドア外面側）のベースカバー３５Ｒには短い２本の脚部３５ｂが形成され、２本の脚部３５ｂから挿入するネジを長い脚部
３５ａに螺合することにより、内外ベースカバー３５Ｆ、３５Ｒ及び錠ケース３をドア２１に固定している。
【００２８】
前記各内外ベースカバー３５Ｆ、３５Ｒには枢支軸３６が設けられ、この各枢支軸３６に操作ハンドル５Ｆ、５Ｒが枢支されている。
各操作ハンドル５Ｆ、５Ｒには、枢支軸３６より錠ケース３側に突出していて錠ケース３に形成した開口３７から内方へ侵入している二股係合部５ａと、ベースカバー３５Ｆ、３５Ｒより外側方に位置して人手でプッシュ・プル操作（押し引き操作）する操作部５ｂとが形成されている。
【００２９】
内外の操作ハンドル５Ｆ、５Ｒは略同一形状であるが、内外対称配置したときに両者の二股係合部５ａは上下にずれており、トリガー部材６のトリガー軸１３に上下にずれて同時に係合している。
各操作ハンドル５Ｆ、５Ｒは、二股係合部５ａをドア２１の外方から錠ケース３の開口３７に挿入してトリガー軸１３に係脱自在に係合することができ、内外操作ハンドル５Ｆ、５Ｒの取り付け間違いも生じないようになっている。
【００３０】
図１〜６、８〜１０において、前記プッシュプル錠１にはロック機構４０が設けられている。このロック機構４０は、錠ケース３内の後部に配置されたロック部材１４と、錠ケース３内の上部に配置された作動部材４１と、この作動部材４１を作動すべくドア２１の内外面に設けた内側作動手段４２Ｆ及び外側作動手段４２Ｒとを有している。
前記ロック部材１４は、突出形成した摺動案内部１４ａを錠ケース３の縦長孔３ｅに係合することにより上下移動自在になっており、その下部に二股係止部１４ｂが形成され、トリガー部材６の後端上部に形成した係止部６ｃに上方から係脱自在になっている。
【００３１】
トリガー部材６の前記係止部６ｃは、帯板の後端上部を上方にＬ字状に屈曲することにより形成されており、トリガー部材６が中立位置Ａにあるときに、トリガー部材６に対して進退移動自在なロック部材１４を進出させて二股係止部１４ｂを係止部６ｃに係合すると、トリガー部材６は前後移動が規制され、中立位置Ａにロックされる。即ち、ロック部材１４は下降して係止部６ｃに係合することによりトリガー部材６をロック状態にし、上昇して係止部６ｃとの係合を解除することによりトリガー部材６をアンロック状態にする。
【００３２】
前記作動部材４１の上部には連動ピン４４が設けられ、この連動ピン４４に作動部材４１の傾斜溝４１ａが係合している。前記作動部材４１は、突出形成した案内部４１ｂを錠ケース３の横長孔３ｆに係合することにより前後移動自在になっており、錠ケース３の前部との間に設けた復帰スプリング４５によって後方へ付勢されている。
作動部材４１の後部には前記傾斜溝４１ａとそれより前側の係合凹部４１ｃとが形成され、傾斜溝４１ａは前側から後側へ下向きに略４５度の角度で傾斜しており、連動ピン４４と係合していて、復帰スプリング４５に抗する作動部材４１の前方移動により、連動ピン４４を介してロック部材１４を下方押動するカム構造になっている。
【００３３】
前記係合凹部４１ｃには、作動部材４１を前後移動させるための内側作動手段４２Ｆ及び外側作動手段４２Ｒの作動片４６Ｆ、４６Ｒが係合している。
図８〜１０において、内側作動手段４２Ｆは、ドア２１の内面に取り付けられた取り付け座４７Ｆに内側作動体４８Ｆと作動片４６Ｆとが縦軸４９を介して回動可能に支持され、作動片４６Ｆの先端が係合凹部４１ｃに挿入されて作動部材４１と係合している。
【００３４】
図８の平面視において、前記内側作動体４８Ｆを手指で反時計方向に回動操作すると、作動片４６Ｆを介して作動部材４１をロック動作（前方移動）し、内側作動体４８Ｆを時計方向に回動操作すると、作動片４６Ｆを介して作動部材４１をアンロック動作（後方移動）する。
前記外側作動手段４２Ｒは、図１、３、８に示すように、ドア２１の外面に取り付けられた取り付け座４７Ｒ内にカム部材５０が横軸廻り回動可能に支持され、このカム部材５０の内面（錠ケース３側の面）に回動中心から偏位した位置にピン形状の作動片４６Ｒが設けられ、この作動片４６Ｒの先端が係合凹部４１ｃに挿入されて作動部材４１と係合している。前記カム部材５０の外面には１本の溝５１が形成され、ロック状態、アンロック
状態を表示すると共に、マイナスドライバ等でカム部材５０を回動できるようになっている。
【００３５】
前記内側作動手段４２Ｆと外側作動手段４２Ｒとは一体的に作動し、図１、３の正面視において、内側作動手段４２Ｆによって作動部材４１がロック動作（前方移動）されると、作動片４６Ｒを介してカム部材５０が時計方向に回動され、作動部材４１がアンロック動作（後方移動）されると、作動片４６Ｒを介してカム部材５０が反時計方向に回動される。
【００３６】
前記取り付け座４７Ｆ、４７Ｒは互いに対向する２本の脚部４７ａを有していて、脚部４７ａに挿通されるネジでドア２１を挟んでネジ止めされている。取り付け座４７Ｆ、４７Ｒの各脚部４７ａは錠ケース３の上部に係合しており、錠ケース３の取り付けにも寄与している。
なお、本発明は前記実施形態における各部材の形状及びそれぞれの前後・左右・上下の位置関係は、図１〜１０に示すように構成することが最良である。しかし、前記実施形態に限定されるものではなく、部材、構成を種々変形したり、組み合わせを変更したりすることもできる。
【００３７】
例えば、連動体１０を割愛し、揺動体７をラッチ軸２Ａの後部に配置し、その揺動体７の上部を二股形状に形成してラッチ軸２Ａの大径の受け部２ａの前面に当接し、揺動体７の後方揺動でラッチ軸２Ａを直接後方移動させるように構成してもよい。
ドア２１の内外面に配置される、操作ハンドル５Ｆ、５Ｒ及び内側作動手段４２Ｆと外側作動手段４２Ｒとは、それぞれ内外どちらか一方のみを設けてもよい。
【００３８】
ロック機構４０のロック部材１４は、トリガー部材６を中立位置Ａから前方移動させてラッチ部材２を後退させた状態でロック位置まで下降させて、二股係止部１４ｂの前面側を係止部６ｃと係止させ、ラッチ部材２を後退状態に保持させるように使用してもよい。
また、プッシュプル錠１としては、ロック部材１４を含むロック機構４０を備えていないものでもよい。
【符号の説明】
【００３９】
１          プッシュプル錠
２          ラッチ部材
２Ａ        ラッチ軸
２Ｂ        ラッチヘッド
２ａ        受け部
３          錠ケース
４          付勢部材
５          操作ハンドル
５ａ        二股係合部
６          トリガー部材
６ａ        押動部
６ｂ        引動部
７          揺動体
７ａ        第１係合部
７ｂ        第２係合部
８          押し連動手段
９          引き連動手段
１０        連動体
１１        揺動軸
１２        付勢手段
１３        トリガー軸
１４        ロック部材
２１        ドア
２２        ドア枠
【図１】
0005619639.tif 000002
【図２】
0005619639.tif 000003
【図３】
0005619639.tif 000004
【図４】
0005619639.tif 000005
【図５】
0005619639.tif 000006
【図６】
0005619639.tif 000007
【図７】
0005619639.tif 000008
【図８】
0005619639.tif 000009
【図９】
0005619639.tif 000010
【図１０】
0005619639.tif 000011